(57)【要約】      （修正有）【課題】遺体の傷口や治療痕等の開口部から漏出する体液を確実に封止でき、処置痕も目立たない死後処置用品を提供する。【解決手段】人体の色を発色する染料を配合する瞬間接着剤１２を収容する容器を備え、瞬間接着剤１２を含浸できるパッド１３２が設けられた絆創膏１３と、を一揃いに構成する。【選択図】図１
0003229182.tif 000002
【実用新案登録請求の範囲】
【請求項１】
瞬間接着剤に人体の色を発色する染料を配合してなる死後処置用品。
【請求項２】
瞬間接着剤と、
前記瞬間接着剤を含浸できるパッドが設けられた絆創膏と、
を一揃いにパッケージ化した死後処置用品。
【請求項３】
絆創膏のパッドに接着剤が含浸されている死後処置用品。
【請求項４】
接着剤と、
前記接着剤を塗布後に延ばすためのヘラと、
前記接着剤が塗布された箇所を覆い隠すための肌色のテープと、
を一揃いにパッケージ化した死後処置用品。
【請求項５】
人体の色を発色する染料を配合している水性の接着剤と、
キャップに刷毛が設けられ、該刷毛が前記水性の接着剤に浸漬された状態で該水性の接着剤を収容可能な刷毛付き容器と、
を備える死後処置用品。
【請求項６】
粉末状の接着剤からなり、
前記該接着剤は、死後の人体から漏出する体液と反応して接着作用を発現することを特徴とする死後処置用品。
【考案の詳細な説明】
【技術分野】
【０００１】
本考案は、遺体を、死によって起こる外観の変化を目立たないようにし、清潔に美しく保ち、その人らしい姿に整えるために使用する死後処置用品に関する。
【背景技術】
【０００２】
長い闘病の末に家族が亡くなった場合などに、外見を少しでも美しくし、きれいな姿で送ってあげたいと考える人は多い。それに伴い、死後の処置は、遺族の気持ちを反映する形で発展し、エンゼルケアとして一般的になりつつある（例えば非特許文献１）。
【０００３】
このエンゼルケアは、体液の漏出を防ぐこと、その人らしい姿に整えることを主な目的として、一般的には、（１）医療器具を外した後の手当、（２）治療でできた傷の手当、（３）身体の清拭、（４）鼻・口・耳への脱脂綿詰め、（５）着替え、（６）死化粧、の流れで処置が行われる。
【０００４】
前述の（１）、（２）、（４）において、漏出体液が多い場合には、絆創膏や、ガーゼ、脱脂綿等では不十分であって、体液が体外に漏れ出すことがある。この漏出体液の処理時や、新しいガーゼ、脱脂綿等に交換する際には、漏出体液を介して病原菌に感染する虞があり、また周辺に漏出体液の悪臭が残るなどの問題がある。
【先行技術文献】
【特許文献】
【０００５】
【非特許文献１】株式会社ユニクエスト、［令和元年１０月９日検索］、インターネット＜https://www.osohshiki.jp/column/article/259/＞
【考案の概要】
【考案が解決しようとする課題】
【０００６】
本考案は、前記事情に鑑みてなされたものであり、遺体の傷口や治療痕等の開口部から漏出する体液を確実に封止でき、処置痕も目立たない死後処置用品を提供することを主な目的とする。
【課題を解決するための手段】
【０００７】
本考案の第１の側面に係る死後処置用品は、瞬間接着剤に人体の色を発色する染料を配合するように構成する。前記構成により、瞬間接着剤が作用することで、遺体の傷口や治療痕等の開口部から漏出する体液を確実に封止できると共に、人体の色を発色する染料を配合しているので、処置痕も目立たなくすることができる。
【０００８】
本考案の第２の側面に係る死後処置用品は、瞬間接着剤と、前記瞬間接着剤を含浸できるパッドが設けられた絆創膏と、を一揃いにパッケージ化するように構成する。前記構成により、遺体の傷口や治療痕等の開口部を封止する際に、パッドに瞬間接着剤を塗布した後、当該絆創膏を用いて、遺体の開口部を封止することができる。
【０００９】
本考案の第３の側面に係る死後処置用品は、絆創膏のパッドに接着剤が含浸されるよう構成する。前記構成により、遺体の傷口や治療痕等の開口部を封止する際に、パッドに接着剤を塗布しなくても使用できる。
【００１０】
本考案の第４の側面に係る死後処置用品は、接着剤と、前記接着剤を塗布後に延ばすためのヘラと、前記接着剤が塗布された箇所を覆い隠すための肌色のテープと、を一揃いにパッケージ化するように構成する。前記構成により、遺体の傷口や治療痕等の開口部に接着剤を塗布後に、ヘラで接着剤を延ばした後に、傷口や開口部を肌色のテープを貼付して、処置痕を目立たないようにする作業を迅速に行うことができる。
【００１１】
本考案の第５の側面に係る死後処置用品は、人体の色を発色する染料を配合している水性の接着剤と、キャップに刷毛が設けられ、該刷毛が前記水性の接着剤に浸漬された状態で該水性の接着剤を収容可能な刷毛付き容器と、を備えるように構成する。前記構成により、刷毛が設けられたキャップを用いて遺体の傷口や治療痕等の開口部に接着剤を迅速に塗布することができる。また、接着剤が人体の色と見分けがつきにくい色をしているので、塗布後に、処置痕を目立たなくすることができる。
【００１２】
本考案の第６の側面に係る死後処置用品は、粉末状の接着剤からなり、前記該接着剤は、死後の人体から漏出する体液と反応して接着作用を発現するよう構成する。前記構成により、遺体の傷口や治療痕等の開口部に、接着剤を直接振り掛けることにより、遺体の傷口や治療痕等の開口部から漏出する体液と接着剤とが反応し、接着剤が硬化することによって、遺体の傷口や治療痕等の開口部を接着することができる。
【考案の効果】
【００１３】
本考案によれば、遺体の傷口や治療痕等の開口部から漏出する体液を確実に封止でき、処置痕も目立たない死後処置用品を提供することができる。
【図面の簡単な説明】
【００１４】
【図１】本考案の第２の実施形態に係る死後処置用品の模式図である。
【図２】本考案の第４の実施形態に係る死後処置用品の模式図である。
【図３】本考案の第５の実施形態に係る死後処置用品の模式図である。
【考案を実施するための形態】
【００１５】
以下、本考案の実施の形態を図面に基づいて説明する。ただし、以下に示す実施の形態は、本考案の技術思想を具体化するための死後処置用品を例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。
（死後処置用品１）
【００１６】
第１の実施形態に係る死後処置用品１は、瞬間接着剤２に人体の色を発色する染料３が配合されている。瞬間接着剤２には、例えば、代表的な瞬間接着剤である有機化合物のシアノアクリレート（cyanoacrylate）を主成分としたシアノアクリレート系瞬間接着剤を用いることができる。シアノアクリレート系瞬間接着剤は、対象物の片面に付け、もう片方の対象物に押し付け広げられるとすぐに、空気中などの水分に瞬間的に反応して硬化し接着する。なお、瞬間接着剤２は、水状又はゼリー状のいずれを使用してもよい。
【００１７】
瞬間接着剤２に配合する染料３は、人体の色を発色する染料が用いられる。人体の色とは、例えば絆創膏の基材の色のように、人体の皮膚の色と同色か、それと近い色（肌色等）であり、塗布状態を目立たなくすることができる。
【００１８】
死後処置用品１の使用方法は、遺体の傷口や治療痕等の開口端部に直接塗布し、開口端部を貼着する。点状に塗布した後、貼着時に死後処置用品１が広がるようにしてもよいし、開口端部に沿って線状に塗布してもよい。また傷口が小さい場合には、開口を塞ぐように開口部に死後処置用品１を充填してもよい。
（死後処置用品１１）
【００１９】
第２の実施形態に係る死後処置用品１１は、図１に示すように、瞬間接着剤１２と、瞬間接着剤１２を含浸できるパッドが設けられた絆創膏１３と、が一揃いにパッケージ化されている。ここで、一揃いにパッケージ化されているとは、一つのパッケージに対象物品が同梱されていることを意味する（死後処置用品３１も同じ。）。なお、このパッケージには、瞬間接着剤１２及び絆創膏１３以外のものが含まれていてもよい。瞬間接着剤１２は、死後処置用品１を用いてもよいし、通常のシアノアクリレート系瞬間接着剤を用いてもよい。絆創膏１３は、肌色の基材１３１と、瞬間接着剤１２を含浸可能な素材からなるパッド１３２と、基材に塗布された粘着剤１３３とからなる。
【００２０】
死後処置用品１１の使用方法は、まず、パッド１３２に瞬間接着剤１２を含浸させ、次いで、傷口にパッド１３２の部分が当たるように、絆創膏１３を貼付する。開口が大きい場合には、開口部に瞬間接着剤１２を充填させた後、瞬間接着剤１２を含浸させていない絆創膏１３を貼付するようにしてもよい。
（死後処置用品２１）
【００２１】
第３の本実施形態に係る死後処置用品２１は、絆創膏のパッドに予め接着剤が含浸されている。これにより、遺体の傷口や治療痕等の開口部を封止する際にそのまま使用できる。
（死後処置用品３１）
【００２２】
第４の実施形態に係る死後処置用品３１は、図２に示すように、接着剤３２と、接着剤３２を塗布後に延ばすための例えば舌圧子の形状をしたヘラ３３と、接着剤３２が塗布された箇所を覆い隠すための肌色のテープ３４と、が一揃いにパッケージ化されている。なお、このパッケージには、接着剤３２及びヘラ３３並びに肌色のテープ３４以外のものが含まれていてもよい。
【００２３】
死後処置用品３１の使用方法は、まず、遺体の傷口や治療痕等の開口部に接着剤３２を塗布する。その後、ヘラ３３を用いて、接着剤３２を傷口や開口部が封止できるように広げる。次いで、傷口や開口部を肌色のテープ３４を貼付して、処置痕を目立たないようにする。
（死後処置用品４１）
【００２４】
第５の実施形態に係る死後処置用品４１は、図３に示すように、人体の色を発色する染料を配合している水性の接着剤４２と、キャップ４３１に刷毛４３２が設けられ、刷毛４３２が水性の接着剤４２に浸漬された状態で水性の接着剤４２を収容可能な刷毛付き容器４３と、を備えている。
【００２５】
死後処置用品４１の使用方法は、まず、刷毛付き容器４３から、キャップ４３１を取り外し、接着剤４２が含浸されている刷毛４３２によって、遺体の傷口や治療痕等の開口部に、接着剤４２を塗布する。刷毛４３２が接着剤４２に浸漬されていない場合や、十分に浸漬されていない場合には、接着剤４２を補充して、刷毛４３２を十分に浸漬させてから使用する。
（死後処置用品５１）
【００２６】
第６の実施形態に係る死後処置用品５１は、死後の人体から漏出する体液と反応して接着作用を発現する、粉末状の接着剤５２からなる。粉末の接着剤５２は、水分と反応して固化するため、大気中の水分となるべく反応しないように容器に収容されている。容器は、例えばプラスチックからなり、容器の主面を押さえることで、収容された粉末の接着剤５２が吐出口から吐出される。
【００２７】
死後処置用品５１の使用方法は、遺体の傷口や治療痕等の開口部に、接着剤５２を直接振り掛ける。遺体の傷口や治療痕等の開口部から漏出する体液と接着剤５２とが反応し、接着剤５２が硬化することによって、遺体の傷口や治療痕等の開口部を接着することができる。
【００２８】
以上説明したように、第１の実施形態に係る死後処置用品１によれば、瞬間接着剤が作用することで、遺体の傷口や治療痕等の開口部から漏出する体液を確実に封止できると共に、人体の色を発色する染料を配合しているので、処置痕も目立たなくすることができる。また、第２の実施形態に係る死後処置用品１１によれば、体の傷口や治療痕等の開口部を封止する際に、パッドに瞬間接着剤を塗布した後、当該絆創膏を用いて、遺体の開口部を封止することができる。また、第３の実施形態に係る死後処置用品２１によれば、遺体の傷口や治療痕等の開口部を封止する際に、パッドに接着剤を塗布しなくても使用できる。さらに、第４の実施形態に係る死後処置用品３１によれば、遺体の傷口や治療痕等の開口部に接着剤３２を塗布後に、ヘラ３３で接着剤３２を延ばした後に、傷口や開口部を肌色のテープ３４を貼付して、処置痕を目立たないようにする作業を迅速に行うことができる。さらにまた、第５の実施形態に係る死後処置用品４１によれば、刷毛４３２が設けられたキャップ４３１を用いて遺体の傷口や治療痕等の開口部に接着剤４２を迅速に塗布することができる。また、接着剤４２が人体の色と見分けがつきにくい色をしているので、塗布後に、処置痕を目立たなくすることができる。さらにまた、第６の実施形態に係る死後処置用品５１によれば、遺体の傷口や治療痕等の開口部に、接着剤５２を直接振り掛けることにより、遺体の傷口や治療痕等の開口部から漏出する体液と接着剤５２とが反応し、接着剤５２が硬化することによって、遺体の傷口や治療痕等の開口部を接着することができる。
【産業上の利用可能性】
【００２９】
本実施形態に係る死後処置用品は、遺体を、死によって起こる外観の変化を目立たないようにし、清潔に美しく保ち、その人らしい姿に整える用途に好適に利用できる。
【符号の説明】
【００３０】
１１…死後処置用品
１２…瞬間接着剤
１３…絆創膏；１３１…基材；１３２…パッド；１３３…粘着剤
３１…死後処置用品
３２…接着剤
３３…ヘラ３３
３４…肌色のテープ
４１…死後処置用品
４２…水性の接着剤
４３…刷毛付き容器；４３１…キャップ；４３２…刷毛
【図１】
0003229182.tif 000003
【図２】
0003229182.tif 000004
【図３】
0003229182.tif 000005
【手続補正書】
【提出日】令和1年11月27日(2019.11.27)
【手続補正１】
【補正対象書類名】実用新案登録請求の範囲
【補正対象項目名】全文
【補正方法】変更
【補正の内容】
【実用新案登録請求の範囲】
【請求項１】
瞬間接着剤に人体の色を発色する染料を配合してなる接着剤を容器に収容した死後処置用品。
【請求項２】
瞬間接着剤と、
前記瞬間接着剤を含浸できるパッドが設けられた絆創膏と、
を一揃いにパッケージ化した死後処置用品。
【請求項３】
絆創膏のパッドに接着剤が含浸されている死後処置用品。
【請求項４】
接着剤と、
前記接着剤を塗布後に延ばすためのヘラと、
前記接着剤が塗布された箇所を覆い隠すための肌色のテープと、
を一揃いにパッケージ化した死後処置用品。
【請求項５】
人体の色を発色する染料を配合している水性の接着剤と、
キャップに刷毛が設けられ、該刷毛が前記水性の接着剤に浸漬された状態で該水性の接着剤を収容可能な刷毛付き容器と、
を備える死後処置用品。
【請求項６】
粉末状の接着剤を容器に収容した死後処置用品であって、
前記接着剤は、死後の人体から漏出する体液と反応して接着作用を発現することを特徴とする死後処置用品。
【手続補正２】
【補正対象書類名】明細書
【補正対象項目名】０００７
【補正方法】変更
【補正の内容】
【０００７】
本考案の第１の側面に係る死後処置用品は、瞬間接着剤に人体の色を発色する染料を配合してなる接着剤を容器に収容するように構成する。前記構成により、瞬間接着剤が作用することで、遺体の傷口や治療痕等の開口部から漏出する体液を確実に封止できると共に、人体の色を発色する染料を配合しているので、処置痕も目立たなくすることができる。
【手続補正３】
【補正対象書類名】明細書
【補正対象項目名】００１２
【補正方法】変更
【補正の内容】
【００１２】
本考案の第６の側面に係る死後処置用品は、粉末状の接着剤を容器に収容した死後処置用品であって、前記接着剤は、死後の人体から漏出する体液と反応して接着作用を発現するよう構成する。前記構成により、遺体の傷口や治療痕等の開口部に、接着剤を直接振り掛けることにより、遺体の傷口や治療痕等の開口部から漏出する体液と接着剤とが反応し、接着剤が硬化することによって、遺体の傷口や治療痕等の開口部を接着することができる。
【手続補正書】
【提出日】令和2年2月4日(2020.2.4)
【手続補正１】
【補正対象書類名】実用新案登録請求の範囲
【補正対象項目名】全文
【補正方法】変更
【補正の内容】
【実用新案登録請求の範囲】
【請求項１】
瞬間接着剤に人体の色を発色する染料を配合してなる接着剤を容器に収容した死後処置用品であって、前記接着剤によって遺体の開口部を封止することを特徴とする死後処置用品。
【請求項２】
瞬間接着剤と、
前記瞬間接着剤を含浸できるパッドが設けられた絆創膏と、
を一揃いにパッケージ化した死後処置用品であって、
前記接着剤によって遺体の開口部を封止することを特徴とする死後処置用品。
【請求項３】
絆創膏のパッドに接着剤が含浸されている死後処置用品であって、
前記接着剤によって遺体の開口部を封止することを特徴とする死後処置用品。
【請求項４】
接着剤と、
前記接着剤を塗布後に延ばすためのヘラと、
前記接着剤が塗布された箇所を覆い隠すための肌色のテープと、
を一揃いにパッケージ化した死後処置用品であって、
前記接着剤によって遺体の開口部を封止することを特徴とする死後処置用品。
【請求項５】
人体の色を発色する染料を配合している水性の接着剤と、
キャップに刷毛が設けられ、該刷毛が前記水性の接着剤に浸漬された状態で該水性の接着剤を収容可能な刷毛付き容器と、
を備える死後処置用品であって、
前記接着剤によって遺体の開口部を封止することを特徴とする死後処置用品。
【請求項６】
粉末状の接着剤を容器に収容した死後処置用品であって、
前記接着剤によって遺体の開口部を封止することを特徴とする死後処置用品。
【手続補正書】
【提出日】令和2年4月7日(2020.4.7)
【手続補正１】
【補正対象書類名】実用新案登録請求の範囲
【補正対象項目名】全文
【補正方法】変更
【補正の内容】
【実用新案登録請求の範囲】
【請求項１】
人体の色を発色する染料を配合してなる瞬間接着剤と、
前記瞬間接着を収容する容器と、
前記瞬間接着剤を収容した容器を密閉状態で包装する包装体と、
からなり、
前記瞬間接着剤によって遺体の開口部を封止することを特徴とする死後処置用品。
【請求項２】
接着剤と、
前記接着剤を含浸できるパッドが設けられた絆創膏と、
前記接着剤及び前記絆創膏を密閉状態で包装する包装体と、
からなり、
前記接着剤によって遺体の開口部を封止することを特徴とする死後処置用品。
【請求項３】
パッド部に接着剤が含浸されている絆創膏と、
前記絆創膏を密閉状態で包装する包装体と、
からなり、
前記接着剤によって遺体の開口部を封止することを特徴とする死後処置用品。
【請求項４】
接着剤と、
前記接着剤を塗布後に延ばすためのヘラと、
前記接着剤が塗布された箇所を覆い隠すための肌色のテープと、
前記接着剤、前記ヘラ及び前記肌色のテープを密閉状態で包装する包装体と、
からなり、
前記接着剤によって遺体の開口部を封止することを特徴とする死後処置用品。
【請求項５】
人体の色を発色する染料を配合している水性の接着剤と、
キャップに刷毛が設けられ、該刷毛が前記水性の接着剤に浸漬された状態で該水性の接着剤を収容可能な刷毛付き容器と、
前記接着剤及び前記刷毛付き容器を密閉状態で包装する包装体と、
からなり、
前記接着剤によって遺体の開口部を封止することを特徴とする死後処置用品。
【請求項６】
粉末状の接着剤と、
前記接着を収容する容器と、
前記接着剤を収容した容器を密閉状態で包装する包装体と、
からなり、
前記接着剤によって遺体の開口部を封止することを特徴とする死後処置用品。
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
人体の肌の色を発色する染料を配合してなる接着剤を収容する容器を備え、
前記接着剤によって遺体の開口部を封止する死後処置用品。
【請求項２】
請求項１に記載の死後処置用品であって、さらに、
前記接着剤を含浸できるパッドが設けられた絆創膏と、
を一揃いにパッケージ化した死後処置用品。
【請求項３】
請求項１又は請求項２に記載の死後処置用品であって、さらに、
前記接着剤を塗布後に延ばすためのヘラと、
前記接着剤が塗布された箇所を覆い隠すための人体の肌の色のテープと、
を一揃いにパッケージ化した死後処置用品。
【請求項４】
請求項１又は請求項２に記載の死後処置用品であって、
前記接着剤は水性であり、
前記容器は、キャップに刷毛が設けられ、該刷毛が前記水性の接着剤に浸漬された状態で該水性の接着剤を収容可能に構成されている死後処置用品。
【請求項５】
請求項１に記載の死後処置用品であって、
前記接着剤が粉末であることを特徴とする死後処置用品。
【請求項６】
請求項１に記載の死後処置用品であって、
前記接着剤が瞬間接着剤であることを特徴とする死後処置用品。